(57)【要約】 【課題】配電線の保全業務を適確に行えるようにする。【解決手段】実施形態の配電系統監視制御装置は、配電線検索部、発報部、取込部、設備情報記憶部、特殊負荷実装検索部、発報制御部を備える。配電線検索部はスマートメータが計測した配電線の電流値が、予め設定された許容値を超えた配電線を特定する。発報部は配電線に急激な負荷上昇が生じた場合、警報を発報する。取込部はスマートメータから設備情報および負荷設備が設置された場所の気象観測器から気象観測情報を取り込む。特殊負荷実装検索部は取り込まれた設備情報と設備情報記憶部の配電系統の設備情報とから、負荷上昇量が急激な配電線に接続されている特殊負荷を検索する。発報制御部は気象観測情報と予め設定された気象条件とから現在の気象状態で特殊負荷が稼動しているものと判定した場合、警報を発報しないよう発報部を制御する。【選択図】図１
2016040979.tif 000002
【特許請求の範囲】
【請求項１】
配電線にスマートメータを介して負荷設備が接続された配電系統を監視および制御する配電系統監視制御装置において、
前記スマートメータが計測した前記配電線の電流値が、予め設定された許容値を超え、急激な負荷上昇が生じた配電線を特定する配電線検索部と、
前記配電線に急激な負荷上昇が生じた場合、警報を発報する発報部と、
前記スマートメータから設備情報および前記負荷設備が設置された場所の気象観測器から気象観測情報を取り込む取込部と、
前記配電系統の設備情報が記憶された設備情報記憶部と、
前記負荷設備の中の特殊負荷が稼働する気象条件が記憶された特殊負荷稼働条件記憶部と、
前記取込部により取り込まれた設備情報と前記設備情報記憶部の前記配電系統の設備情報とから、前記配電線検索部により特定された負荷上昇量が急激な配電線に接続されている特殊負荷を検索する特殊負荷実装検索部と、
前記取込部により取り込まれた気象観測情報と前記特殊負荷稼働条件記憶部の気象条件とから、現在の気象状態で、検索された前記特殊負荷が稼動しているものと判定した場合、警報を発報しないよう前記発報部を制御する発報制御部と
を備える配電系統監視制御装置。
【請求項２】
前記発報制御部は、
前記配電線の一定時間の負荷の上昇量が予め設定された一定の閾値を超えて前記配電線検索部により特定された配電線に前記特殊負荷の接続がない場合、または前記特殊負荷稼動状態判定部により現在の気象状態で前記特殊負荷が稼動していないものと判定された場合、前記発報部に警報を発報させ、前記特殊負荷稼動状態判定部により現在の気象状態で前記特殊負荷が稼動しているものと判定された場合、警報を発報しないよう前記発報部を制御する請求項１記載の配電系統監視制御装置。
【請求項３】
前年の前記特殊負荷の稼動実績とそのときの気象観測情報とが蓄積された蓄積部と、
現在急激な負荷上昇が生じた配電線の、前年度の特殊負荷の稼動実績と気象観測情報とを前記蓄積部より検索する検索部と、
前記検索部により検索された前年度の稼動実績から抽出した当該時間帯の気象観測情報と前記特殊負荷稼働条件記憶部の気象条件とを照合し前記気象条件を編集し、新たな気象条件を前記記憶部に設定する編集・設定部と
を備えた請求項１または請求項２いずれか記載の配電系統監視制御装置。
【請求項４】
前記取込部により取り込まれた気象観測情報を日毎に蓄積する蓄積部と、
前記蓄積部により蓄積された気象観測情報の中から急激な負荷上昇が生じた現時点と同時間帯に特殊負荷が稼働した前日の気象観測情報を抽出する検索部と、
前記検索部により抽出された前日の気象観測情報により、前記特殊負荷稼働条件記憶部の気象条件を更新する更新部と、
を備えた請求項１乃至請求項３いずれか１項に記載の配電系統監視制御装置。
【請求項５】
前記発報部に警報を発報させなかったときの特殊負荷の情報と気象観測情報と気象条件とを含む判定根拠データが前記発報制御部により保存される判定根拠データ記憶部を備える請求項１乃至請求項４いずれか１項に記載の配電系統監視制御装置。
【発明の詳細な説明】
【技術分野】
【０００１】
本発明の実施形態は、配電系統監視制御装置に関する。
【背景技術】
【０００２】
一般に、配電系統を監視制御する配電系統監視制御システムは、配電系統を構成する種々の設備および配電線の接続状態も含めた各種情報を配電系統データベースに収容し、この配電系統データベースを用いて配電系統の現在状態を監視し、または監視結果を基に各種配電系統設備を制御している。
【０００３】
この配電系統監視制御システムでは、常時および短時の配電線許容電流を所定時間間隔（例えば３０分周期など）で比較することで、配電線の過負荷・重負荷の監視を行っており、監視中に配電線の過負荷・重負荷と判定した場合、警報を鳴動させて配電線の保全業務を行う監視員に通知する。
【０００４】
しかしながら、従来のシステムの場合、防霜ファンの稼動時など、重負荷に至らない急激な配電線の負荷上昇の際でも予め設定された閾値を逸脱すると、過負荷・重負荷と判定し、警報を鳴動させることから、本当の負荷の異常か否かを監視員がその都度確認する必要があり、日中ならまだしも夜間対応となると確認作業が大変である。
【先行技術文献】
【特許文献】
【０００５】
【特許文献１】特開２００６−０６０８８５号公報
【発明の概要】
【発明が解決しようとする課題】
【０００６】
従来のシステムの場合、前述したように、防霜ファンなどの特殊負荷が稼動し重負荷に至らない急激な配電線の負荷上昇が生じたときでも配電線に過負荷・重負荷が生じたものと判定し警報を鳴動させてしまうため、例えば夜間などに警報が鳴動すると、監視員は過負荷・重負荷が生じた配電線を特定する作業に追われ、配電線の保全業務が適確に行えないという問題があった。
【０００７】
本発明が解決しようとする課題は、配電線の保全業務を適確に行うことができる配電系統監視制御装置を提供することにある。
【課題を解決するための手段】
【０００８】
実施形態の配電系統監視制御装置は、配電線にスマートメータを介して負荷設備が接続された配電系統を監視および制御するものであり、配電線検索部、発報部、取込部、設備情報記憶部、特殊負荷稼働条件記憶部、特殊負荷実装検索部、発報制御部を備える。配電線検索部はスマートメータが計測した前記配電線の電流値が、予め設定された許容値を超え、急激な負荷上昇が生じた配電線を特定する。発報部は配電線に急激な負荷上昇が生じた場合、警報を発報する。取込部はスマートメータから設備情報および負荷設備が設置された場所の気象観測器から気象観測情報を取り込む。設備情報記憶部には配電系統の設備情報が記憶されている。特殊負荷稼働条件記憶部には負荷設備の中の特殊負荷が稼働する気象条件が記憶されている。特殊負荷実装検索部は取込部により取り込まれた設備情報と前記設備情報記憶部の前記配電系統の設備情報とから、配電線検索部により特定された負荷上昇量が急激な配電線に接続されている特殊負荷を検索する。発報制御部は取込部により取り込まれた気象観測情報と特殊負荷稼働条件記憶部の気象条件とから、現在の気象状態で、検索された特殊負荷が稼動しているものと判定した場合、警報を発報しないよう発報部を制御する。
【図面の簡単な説明】
【０００９】
【図１】一つの実施の形態の配電系統監視制御システムの概要構成を示す図である。
【図２】配電系統監視制御装置の第１実施形態（構成）を示す図である。
【図３】スマートメータ設備データの一例を示す図である。
【図４】配電系統設備データの一例を示す図である。
【図５】特殊負荷実装配電線データの一例を示す図である。
【図６】気象観測データの一例を示す図である。
【図７】特殊負荷状態判定条件の一例を示す図である。
【図８】第１実施形態の動作を示すフローチャートである。
【図９】配電系統監視制御装置の第２実施形態（構成）を示す図である。
【図１０】スマートメータ計測実測データの一例を示す図である。
【図１１】特殊負荷計測実測データの一例を示す図である。
【図１２】特殊負荷稼働実績データの一例を示す図である。
【図１３】気象状態実績データの一例を示す図である。
【図１４】第２実施形態の動作を示すフローチャートである。
【図１５】配電系統監視制御装置の第３実施形態（構成）を示す図である。
【図１６】第３実施形態の動作を示すフローチャートである。
【図１７】配電系統監視制御装置の第４実施形態（構成）を示す図である。
【図１８】第４実施形態の動作を示すフローチャートである。
【図１９】判定根拠データの一例を示す図である。
【発明を実施するための形態】
【００１０】
以下、図面を参照して、実施形態を詳細に説明する。図１は一つの実施の形態の配電系統監視制御システムの概要構成を示す図、図２は配電系統監視制御装置の第１実施形態（構成）を示す図である。
【００１１】
図１に示すように、配電系統監視制御システム２は、気象センサ１と配電系統１０に接続されている。
【００１２】
気象センサ１は配電系統１０の特殊負荷が設置されている地域に設置されており、その地点の例えば温度・湿度・風速などの気象観測データ１ａを検知する。
【００１３】
配電系統１０は配電線１７とこの配電線１７にスマートメータ１６（以下「ＳＭ１６」と称す）を介して照明機器１３ａや防霜ファン１３ｂなどの負荷設備とが接続された電力網である。照明機器１３ａは一年を通して接続される通常の負荷であり、防霜ファン１３ｂは特定の時期にのみ使用される特殊負荷である。ＳＭ１６は家屋の計器盤１５に取り付けられている。
【００１４】
ＳＭ１６と照明機器１３ａおよび防霜ファン１３ｂなどの負荷設備との間は低圧引込線路１４により接続されている。防霜ファン１３ｂは例えば茶畑などに設置された支柱１１に支持されている。支柱１１には温度センサ１２を含む制御器１２が取り付けられている。制御器１２は温度センサ１２により検知された温度に応じて防霜ファン１３ｂを制御するものである。
【００１５】
配電線１７は例えば電柱１８に載置された柱上変圧器２０に接続されている。電柱１８には電柱番号が割り当てられている。柱上変圧器２０は送電線の高電圧を家屋で利用する低電圧に変換を行う。電柱１８にはコンセントレータ１９が取り付けられている。
【００１６】
コンセントレータ１９は複数の通信回線を束ねる機能を持った装置であり配電系統監視制御システム２側のメータデータ収集装置４と広域通信を行う。コンセントレータ１９とＳＭ１６とはラストワンマイル通信により通信する。
【００１７】
配電系統監視制御システム２は、気象情報提供装置３およびメータデータ収集装置４などの情報取込部５と配電系統監視制御装置６が例えばＬＡＮなどのオフィス内情報通信ネットワーク７を介して接続されたものである。
【００１８】
気象情報提供装置３は気象センサ１または制御器１２から気象情報を取得し、配電系統監視制御装置６に提供する。メータデータ収集装置４はＳＭ１６が配置されている設備の情報やＳＭ１６に接続されている負荷設備の情報をＳＭ１６から収集し配電系統監視制御装置６に渡す。ＳＭ１６から収集される情報としては、スマートメータ設備データ１０ａ（設備の情報）、配電系統設備データ１０ｂ（負荷設備の情報）、スマートメータ計測実測データ１０ｃなどがある。
【００１９】
スマートメータ設備データ１０ａは、図３に示すように、電柱番号とお客様番号とが対応した情報である。配電系統設備データ１０ｂは、図４に示すように、配電線の識別情報である配電線コードと区間番号（区間Ｎｏ．）と電柱番号とが対応した情報である。
【００２０】
スマートメータ計測実測データ１０ｃは、お客様番号毎に一日を３０分単位に区切り、３０分毎にＳＭ１６により計測された有効電力量（計測実績）である。このスマートメータ計測実測データ１０ｃは全てのお客様を対象に収集される。
【００２１】
このように情報取込部５は、ＳＭ１６から負荷設備の情報および負荷設備が設置された（例えば茶畑などの）地域の気象観測器（気象センサ１）から気象観測データを取り込み配電系統監視制御装置６に渡す。すなわち情報取込部５は、ＳＭ１６から設備情報および負荷設備が設置された地域の気象観測器から気象観測情報を取り込む。
【００２２】
（第１実施形態の構成）  
図２に示すように、配電系統監視制御装置６は、お客様番号取得部６１、お客様番号・電柱番号記憶部６２、所属電柱検索部６３、電柱番号・配電線記憶部６４、所属区間・配電線検索部６５、特殊負荷実装配電線判定部６８、現在気象状態取得部６９、メモリ７０、過負荷・重負荷判定条件記憶部７１、警報鳴動部７２、特殊負荷状態判定条件記憶部７３、発報制御部７４を有する。配電系統監視制御装置６は配電線にＳＭ１６を介して負荷設備が接続された配電系統１０を監視および制御するものである。
【００２３】
お客様番号取得部６１は、ＳＭ１６から上記設備の情報を取得し、設備の情報から特殊負荷の契約をしているお客様番号を抽出する。
【００２４】
お客様番号・電柱番号記憶部６２には、電柱から家屋へ配電線を引き込んでいる契約者の識別情報であるお客様番号と電柱の識別情報である電柱番号とが対応して記憶されている。
【００２５】
所属電柱検索部６３は、お客様番号取得部６１から受け取ったお客様番号をキーにしてお客様番号・電柱番号記憶部６２を検索し所属電柱を特定（検索）する。
【００２６】
電柱番号・配電線記憶部６４には、図４に示した配電系統設備データ１０ｂが記憶される。具体的には、配電線コードと区間Ｎｏ．と電柱番号とが対応して電柱番号・配電線記憶部６４に記憶される。電柱番号・配電線記憶部６４は、配電系統の設備情報が記憶された設備情報記憶部である。
【００２７】
所属区間・配電線検索部６５は、電柱番号をキーにして電柱番号・配電線記憶部６４のデータを検索し電柱が所属する区間と電柱が接続されている配電線を検索し、特殊負荷実装配電線データ（図５参照）を特殊負荷実装配電線判定部６８へ出力する。
【００２８】
特殊負荷実装配電線データには、特殊負荷実装フラグが設けられており、図５に示すように、配電線に特殊負荷が接続されている場合、特殊負荷実装配電線データの特殊負荷実装フラグとして「１」が設定され、配電線に特殊負荷が接続されていない場合は特殊負荷実装フラグとして「０」が設定されている。
【００２９】
特殊負荷実装配電線判定部６８は、所属区間・配電線検索部６５により検索された特殊負荷実装配電線データに含まれる特殊負荷実装フラグから当該配電線に特殊負荷が接続（実装）されているか否かを判定し当該配電線に特殊負荷が接続（実装）されている場合はその旨を現在気象状態取得部６９に通知し当該配電線に特殊負荷が接続（実装）されていない場合はその旨を発報制御部７４に通知する。
【００３０】
上記各検索部６３、６５および特殊負荷実装配電線判定部６８はＳＭ１６が計測した配電線の電流値が、予め設定された許容値を超え、急激な負荷上昇が生じた配電線を特定する配電線検索部である。
【００３１】
特殊負荷実装配電線判定部６８は情報取込部５により取り込まれた設備情報と電柱番号・配電線記憶部６４の配電系統の設備情報とから、所属区間・配電線検索部６５により特定された負荷上昇量が急激な配電線に接続されている特殊負荷を検索（判定）する特殊負荷実装検索部である。
【００３２】
現在気象状態取得部６９は、気象センサ１が検知（計測）した計測データである気象観測データ１ａ（現在の気象状態）を取得し発報制御部７４に渡す。
【００３３】
気象観測データ１ａ（現在の気象状態）は、図６に示すように、年月日毎（一日毎）に３０分単位に気象センサ１により計測された温度、湿度、風速のデータである。
【００３４】
メモリ７０には、過去の計測実績データ（ＳＭ１６からの計測実績データ（有効電力量）や気象情報など）が記憶されると共に、ＳＭ１６から取得した設備の情報から抽出した特殊負荷の契約をしているお客様番号が一時記憶され、検索に利用される。
【００３５】
過負荷・重負荷判定条件記憶部７１には、過負荷・重負荷を判定するための判定条件が記憶されている。この判定条件とは、例えば常時および短時に配電線に流れる電流の許容電流値（閾値）である。警報鳴動部７２は、警報を鳴動する発報機器、例えばサイレンを鳴らすスピーカやブザーなどである。警報鳴動部７２は配電線に急激な負荷上昇が生じた場合、警報を発報する。
【００３６】
特殊負荷状態判定条件記憶部７３には、特殊負荷が例えば防霜ファン１３ｂであれば、温度、湿度、風速の各閾値が、特殊負荷が稼働する状態となる判定条件として記憶されている。判定条件の初期値（デフォルト値）として、例えば図７に示すように、温度：５°Ｃ以下、湿度：８０％以上、風速：２ｍ未満などが設定されている。すなわち特殊負荷状態判定条件記憶部７３は、負荷設備の中の特殊負荷が稼働する気象条件が記憶された特殊負荷稼働条件記憶部である。
【００３７】
この他、メータデータ収集装置４によりＳＭ１６から収集されたスマートメータ計測実測データ１０ｃが発報制御部７４に渡される。発報制御部７４は渡されたスマートメータ計測実測データ１０ｃをメモリ７０に順次記憶し蓄積する。
【００３８】
発報制御部７４は受け取った各種データ（情報）を基に警報鳴動部７２の鳴動動作を制御する。発報制御部７４は現在気象状態取得部６９から渡された気象観測データ１ａ（現在の気象状態）と特殊負荷状態判定条件記憶部７３の特殊負荷状態判定条件とを照合し、現在の気象状態で特殊負荷が稼動しているか否かを判定（推定）しこの判定（推定）結果に応じて警報鳴動部７２を制御する。
【００３９】
発報制御部７４は配電線の一定時間の負荷の上昇量が予め設定された一定の閾値（負荷上昇特性）を超えかつ配電線に特殊負荷が接続されていない場合、または現在の気象状態で特殊負荷が稼動していないものと判定した場合、警報鳴動部７２に警報を発報させる。
【００４０】
また発報制御部７４は各種データ（情報）を基に配電線の一定時間の負荷の上昇量が予め設定された一定の閾値（負荷上昇特性）を超えた場合であっても現在の気象状態で特殊負荷が稼動しているものと判定した場合は、警報鳴動部７２に対して警報を鳴動しないよう制御する。
【００４１】
発報制御部７４は、配電系統を監視する中で配電系統に過負荷・重負荷の兆候（兆し、疑いなど）があることが検出（判定）した場合に、各検索部から得られる情報を基に防霜ファン１３ｂなど特殊負荷の接続の有無（実装の有無）をチェックし、配電線に特殊負荷が接続されていれば、特殊負荷の稼動状態を予測（想定）し、特殊負荷が稼動していないときには警報を鳴動させ、特殊負荷が稼動していると予測（想定）した場合、警報を鳴動しないよう警報鳴動部７２を制御する。
【００４２】
（第１実施形態の作用）  
配電系統監視制御システム２の場合、現在の気象観測データ１ａやスマートメータ設備データ１０ａを配電系統監視制御装置６に取り込み、配電系統監視制御装置６において防霜ファン１３ｂなどの特殊負荷の稼動状態を考慮して、配電線の過負荷・重負荷を判定する。特殊負荷が稼動しているか否かを考慮し、配電線の過負荷・重負荷を判定するため、図８に示すフローチャートの手順を実行する。
【００４３】
予め配電系統監視制御装置６に、キー入力などにより温度・湿度・風速を入力し、特殊負荷状態判定条件記憶部７２に特殊負荷状態判定条件を設定しておくものとする。
【００４４】
この場合、配電系統監視制御装置６では、発報制御部７４が、スマートメータ計測実測データを取得し、配電系統１０の監視を行う中で（図８のステップＳ１０１）、配電系統１０の配電線に過負荷・重負荷に至る兆候があるものと判定すると（ステップＳ１０２のＹｅｓ）、発報制御部７４はまずお客様番号取得部６１にお客様番号の取得を指示する。
【００４５】
この指示によりお客様番号取得部６１はＳＭ１６よりお客様番号を取得する。所属電柱検索部６３はお客様番号取得部６１により取得されたお客様番号をキーにしてお客様番号・電柱番号記憶部６２を検索して電柱番号を取り込み、所属区間・配電線検索部６５に渡す。
【００４６】
所属区間・配電線検索部６５は所属電柱検索部６３から受け取った電柱番号をキーにして電柱番号・配電線記憶部６４の配電系統設備データ１０ｂ（図４参照）を検索し、配電系統設備データ１０ｂから区間番号と配電線番号を取り込み、特殊負荷実装配電線データを特殊負荷実装配電線判定部６８に渡すと共にメモリ７０に記憶する。
【００４７】
特殊負荷実装配電線判定部６８は、渡された特殊負荷実装配電線データから配電線コードを取り込み、配電線コードの特殊負荷実装フラグをチェックすることで、配電線に特殊負荷が接続されているか否かを確認、つまり特殊負荷の有無を判定し（ステップＳ１０４）、特殊負荷なしと判定した場合は（ステップＳ１０４のＮｏ）、その旨を発報制御部７４へ通知する。
【００４８】
特殊負荷なしの通知を受けた発報制御部７４は警報鳴動部７２を制御して警報を鳴動させる（ステップＳ１０５）。
【００４９】
一方、特殊負荷実装配電線判定部６８が特殊負荷ありと判定した場合（ステップＳ１０４のＹｅｓ）、特殊負荷実装配電線判定部６８はその旨を現在気象状態取得部６９に通知する。
【００５０】
特殊負荷ありの通知を受けた現在気象状態取得部６９は、特殊負荷の位置に該当する地域に設置された気象センサ１から気象観測データ１ａを取得し、気象観測データ１ａから現在（最大３０分前）の温度・湿度・風速（現在気象状態）を抽出（検索）し（ステップＳ１０６）、発報制御部７４に出力する。
【００５１】
現在（最大３０分前）の温度・湿度・風速を受け取った発報制御部７４はこれらの気象データ（現在気象状態）と特殊負荷状態判定条件記憶部７３の特殊負荷状態判定条件とを照合し、現在の特殊負荷の稼働状態を判定する（ステップＳ１０７）。
【００５２】
ここで、現在気象状態が判定条件に合致した場合、発報制御部７４は、特殊負荷が稼動しているものと判定し（ステップＳ１０８のＹｅｓ）、警報を鳴動させない（ステップＳ１０９）。ここで判定とは予測、推定、またはみなしなどと同義（同意）とする。
【００５３】
（第１実施形態の効果）  
このようにこの第１実施形態によれば、発報制御部７４は、負荷上昇量が急激な配電線に特殊負荷が接続されており、かつ現在の気象状態で特殊負荷が稼動しているものと判定した場合、警報を鳴動しないので、不要な鳴動をなくすことができる。すなわちリアルタイムに気象観測データやスマートメータ設備データを取り込み防霜ファン１３ｂなどの特殊負荷の稼動状態を考慮して配電線の過負荷・重負荷を判定することで、本当に保全対応が必要なときに警報を鳴動させることができる。この結果、配電線の保全業務を適確に行うことができるになる。
【００５４】
（第２実施形態の構成）  
図９は配電系統監視制御装置の第２実施形態（構成）を示す図である。  
図９に示すように、第２実施形態は、前年の気象観測データとスマートメータ計測実績データをメモリ７０に蓄積（記憶）しておき、防霜ファン１３ｂなどの特殊負荷の稼働状態の判定条件を、前年の防霜ファン１３ｂの稼動実績（実態）から編集・設定（更新）し、新たな判定の際に、編集・設定（更新）した判定条件を基に現在の防霜ファン１３ｂの稼動状態を判定し、配電線の過負荷・重負荷を判定する。
【００５５】
つまり前年の防霜ファン１３ｂの稼動実績（実態）から、現在の防霜ファン１３ｂの稼動状態を予測（想定）して、配電線の過負荷・重負荷を判定する。
【００５６】
そこで、この例の配電系統監視制御装置６は、第１実施形態の構成に、メモリ７０に蓄積されているお客様の過去の実績データ（前年（一年分）計測実績データ）を検索する実績検索部７５と、特殊負荷状態の判定条件を編集・設定する編集・設定部７６とを備え、編集・設定部７６が編集した処理結果を発報制御部７４がモニタ７７へ出力する。
【００５７】
メモリ７０に蓄積されている過去の実績データとしては、例えばスマートメータ計測実績データ（図１０参照）、特殊負荷計測実績データ（図１１参照）、特殊負荷稼動実績データ（図１２参照）、特殊負荷稼動時の気象状態実績データ（図１３参照）などがある。すなわちメモリ７０は前年の特殊負荷の稼動実績とそのときの気象観測情報とが蓄積された蓄積部として機能する。
【００５８】
スマートメータ計測実績データは、図１０に示すように、配電線の引き込み先であるお客様番号毎に年月日単位に時刻を３０分間隔で区切り、それぞれの時間間隔にお客様の有効電力量（計測実績）をＳＭ１６が計測したデータである。
【００５９】
特殊負荷計測実績データは、図１１に示すように、配電線に特殊負荷が実装（接続）されているお客様の有効電力量をＳＭ１６が計測した実績データである。
【００６０】
特殊負荷稼動実績データは、図１１の特殊負荷計測実績データのうち、図１２に示すように、配電線に実装（接続）されている特殊負荷が実際に稼働した年月日および時刻（３０分単位）を示す実績データである。
【００６１】
特殊負荷稼動時の気象状態実績データは、図１３に示すように、お客様番号毎に、特殊負荷が実際に稼働したときの温度、湿度、風速を記録した実績データである。
【００６２】
実績検索部７５は、現在急激な負荷上昇が生じた配電線の、前年度の特殊負荷の稼動実績と気象観測情報とをメモリ７０より検索する。
【００６３】
編集・設定部７６は実績検索部７５により検索された前年度の稼動実績から抽出した当該時間帯の気象観測情報と特殊負荷状態判定条件記憶部７３の判定条件（気象条件）とを照合し判定条件（気象条件）を編集し、新たな判定条件（気象条件）を特殊負荷状態判定条件記憶部７３に設定する。
【００６４】
（第２実施形態の作用）  
第２実施形態の場合、前年の防霜ファン１３ｂなどの特殊負荷の稼動実態から、現在の特殊負荷の稼動状態を考慮して、配電線の過負荷・重負荷に至るか否かを判定するため、図１４に示すフローチャートの手順を実施する。
【００６５】
この場合、配電系統監視制御装置６では、発報制御部７４が、メータデータ収集装置４から順次得られるスマートメータ計測実側データ１０ｃから、配電線に過負荷・重負荷の兆しがあるものと判定すると、発報制御部７４はまずお客様番号取得部６１にお客様番号の取得を指示する。この指示によりお客様番号取得部６１はお客様番号を取得し（図１４のステップＳ２０１）、メモリ７０に記憶する。
【００６６】
実績検索部７５はメモリ７０に記憶されたお客様番号を基に、当該お客様の前年（一年分）計測実績データ（図１０のスマートメータ計測実績データ）から当該お客様の前年の有効電力量をメモリ７０から読み出し（ステップＳ２０２）、その中で特殊負荷を利用しているお客様のデータを特殊負荷計測実績データとしてメモリ７０に記憶する（ステップＳ２０３）。
【００６７】
次に、実績検索部７５は、メモリ７０の特殊負荷計測実績データから、有効電力量が予め設定された閾値（例えば２Ａなど）以上のものを抽出し、現在と同時刻帯に特殊負荷が稼動していたか否か（特殊負荷稼動状態）を判定する（ステップＳ２０４）。
【００６８】
この判定の結果、特殊負荷の稼動実績がなければ（ステップＳ２０５のＮｏ）、実績検索部７５は、その旨を発報制御部７４へ通知し、発報制御部７４は、特殊負荷が「稼動実績なし」としてモニタ７７に処理結果を表示する（ステップＳ２０６）。
【００６９】
一方、判定の結果、特殊負荷の稼動実績があれば（ステップＳ２０５のＹｅｓ）、実績検索部７５は、現在計測されている気象観測データ１ａから気象状態実績を検索し（ステップＳ２０７）、特殊負荷が稼動したときの気象状態実績データ（温度・湿度・風速）を抽出し、抽出した気象状態実績データをメモリ７０に記憶する（ステップＳ２０８）。
【００７０】
編集・設定部７６はメモリ７０に記憶・蓄積されていた過去の気象状態実績データと現在の気象状態実績データとを基に、新たな特殊負荷の状態の判定条件（閾値）を編集（生成）する（ステップＳ２０９）。
【００７１】
そして、編集・設定部７６は編集した新たな特殊負荷の状態の判定条件で、特殊負荷状態判定条件記憶部７３の判定条件を設定し直し（上書きし）、その旨を発報制御部７４に通知する（ステップＳ２１０）。処理結果表示部７８は、通知された新たな判定条件を処理結果としてモニタ７７に表示する（ステップＳ２０６）。
【００７２】
なお、過去の気象状態実績データと現在の気象状態実績データとの平均をとって新たな特殊負荷の状態の判定条件（閾値）を生成してもよく、現在の気象状態実績データにそのまま置き換えてもよく、これ以外の演算により判定条件（閾値）を生成してもよい。
【００７３】
（第２実施形態の効果）  
このようにこの第２実施形態によれば、配電線に過負荷・重負荷の疑いが生じた際に、メモリ７０に蓄積された前年の気象観測データやスマートメータ計測実績データを読み出し、前年の特殊負荷の稼動実態から、現在の特殊負荷の稼動状態を考慮して配電線の過負荷・重負荷の状態とされた配電線の現在の特殊負荷の稼動状態を予測するので、特殊負荷の稼動状態の予測（推定）精度を高めることができる。
【００７４】
（第３実施形態の構成）  
図１５は配電系統監視制御装置の第３実施形態（構成）を示す図である。  
図１５に示すように、この第３実施形態は、第２実施形態の編集・設定部７６を更新部７８に変更し、実績検索部７５が、お客様の前日（一日分）の計測実績データを検索するよう構成したものであり、前日の特殊負荷の稼動実態から更新部７８が特殊負荷の状態の判定条件を常に最新の状態に更新する。
【００７５】
メモリ７０には、情報取込部５により取り込まれた気象観測データ（気象観測情報）が日毎に蓄積されている。実績検索部７５はメモリ７０に蓄積された気象観測情報の中から急激な負荷上昇が生じた現時点と同時間帯に特殊負荷が稼働した前日の気象観測データ（気象観測情報）を検索（抽出）する。
【００７６】
更新部７８は実績検索部７５により抽出された前日の気象観測データ（気象観測情報）により、特殊負荷状態判定条件記憶部７３（特殊負荷稼働条件記憶部）の判定条件（気象条件）を更新する。
【００７７】
すなわちこの第３実施形態は、メモリ７０に記憶しておいた前日の気象観測データとスマートメータ計測実績データを読み出し、上記第１実施形態や第２実施形態に示した特殊負荷の状態の判定条件を常に最新の状態に更新するものである。
【００７８】
（第３実施形態の作用）  
この第３実施形態では、前日の特殊負荷の稼動実態から特殊負荷の稼働状態の判定条件を常に最新状態に更新するため、図１６のフローチャートの手順を実施する。
【００７９】
この場合、お客様番号取得部６１がお客様番号を取得すると（図１６のステップＳ２０１）、実績検索部７５はお客様番号取得部６１により取得されたお客様番号を基にメモリ７０を検索し、当該お客様の前日（一日分）計測実績データ（スマートメータ計測実績データ）をチェックし、スマートメータ計測実績データから当該お客様の前日有効電力量を一日分読み出し（ステップＳ３０１）、特殊負荷計測実績データとしてメモリ７０に記憶する。
【００８０】
続いて、実績検索部７５はメモリ７０の特殊負荷計測実績データから、有効電力量が予め設定された閾値（例えば２Ａなど）を超えたものを抽出し、特殊負荷の稼動状態を判定する（ステップＳ２０４）。
【００８１】
判定の結果、特殊負荷の稼動実績があれば（ステップＳ２０５のＹｅｓ）、実績検索部７５はメモリ７０に蓄積されている気象状態実績データを検索し（ステップＳ２０７）、前日の気象観測データを読み出し、読み出した前日の気象観測データから特殊負荷稼動時の温度・湿度・風速を取得し、特殊負荷稼動時の気象状態実績データとしてメモリ７０に記憶する（ステップＳ２０８）。
【００８２】
更新部７８はメモリ７０に記憶された特殊負荷稼動時の気象状態実績データを基に、特殊負荷状態判定条件記憶部７３の特殊負荷の稼働状態の判定条件を更新し（ステップＳ３０２）、更新した判定条件を発報制御部７４へ通知し発報制御部７４は通知された更新した判定条件を処理結果としてモニタ７７に表示する（ステップＳ３０３）。
（第３実施形態の効果）
このようにこの第３実施形態によれば、配電線に過負荷・重負荷の疑いが生じた際に、メモリ７０に予め記憶しておいた前日の気象観測データやスマートメータ計測実績データを読み出すことで、特殊負荷の状態の判定条件を常に最新状態に更新するので、特殊負荷の稼動状態の推定精度を高めることができる。
【００８３】
（第４実施形態の構成）  
図１７は配電系統監視制御装置の第４実施形態（構成）を示す図である。  
図１７に示すように、この第４実施形態は、第１実施形態の構成に、さらに判定根拠データ記憶部８０とモニタ７７を追加したものであり、配電線に過負荷・重負荷の兆候があった際に、特殊負荷の稼動状態を考慮した結果を判定根拠データ記憶部８０に記憶（記録）および表示するものである。
【００８４】
発報制御部７４は、警報鳴動部７３（発報部）に警報を発報させなかったときの特殊負荷の情報と気象観測データ（気象観測情報）と判定条件（気象条件）とを含む判定根拠データを、判定根拠データ記憶部８０に保存すると共にモニタ７７に表示する。
【００８５】
すなわちこの第４実施形態では特殊負荷の状態をどのように考慮して配電線の過負荷・重負荷の判定を行ったかを判定根拠データ記憶部８０に記憶（記録）およびモニタ７７に表示する。
【００８６】
（第４実施形態の作用）  
この第４実施形態では、配電線に過負荷・重負荷が生じた際に特殊負荷の稼動状態の考慮結果を記録・表示するため、図１８に示すフローチャートの手順を実施する。なお第１実施形態の動作（図８）と同じ手順には同じ符号を付し説明を簡単にする。
【００８７】
すなわち、この実施形態の場合、発報制御部７４は、スマートメータ計測実測データを取得し、配電系統１０の監視を行う中で（図１８のステップＳ１０１）、配電線に負荷・重負荷の疑いが生じた際に（ステップＳ１０２のＹｅｓ）、該当するお客様番号から電柱番号および特殊負荷実装配電線データを検索した後（ステップＳ１０３）、特殊負荷実装配電線判定部６８は特殊負荷実装配電線データから配電線コードを取り込み、特殊負荷の有無を判定する（ステップＳ１０４）。
【００８８】
特殊負荷実装配電線判定部６８が特殊負荷ありと判定した場合（ステップＳ１０４のＹｅｓ）、現在気象状態取得部６９は気象観測データ１ａから現在（最大３０分前）の温度・湿度・風速を取り込み、発報制御部７４に渡す。
【００８９】
発報制御部７４は渡された現在（最大３０分前）の温度・湿度・風速と特殊負荷状態判定条件記憶部７３から読み出した判定条件とを照合し、判定条件に合致した場合には、特殊負荷が稼動しているものと判定（推定または予測）して（みなして）（ステップＳ１０８のＹｅｓ）、警報鳴動部７２に対し警報を鳴動させないよう制御する。
【００９０】
そして、発報制御部７４はどのような判定（みなし）を行ったのかを示す判定根拠データ（図１９参照）を判定根拠データ記憶部８０に記憶し、またその判定根拠データを判定（みなし）結果としてモニタ７７に表示する。図１９に判定根拠データの一例を示す。同図では、判定根拠データとして、年月日、時刻（３０分毎）、配線コード、お客様番号、判定条件、計測実績などが一つのレコードとして記憶される。
【００９１】
（第４実施形態の効果）  
このようにこの第４実施形態によれば、防霜ファン１３ｂなどの特殊負荷の稼動状態をどのように考慮して配電線の過負荷・重負荷を判定したのかを判定根拠データ記憶部８０に保存（記憶または記録）しモニタ７７に表示することで、後に見直す際に判定の根拠として説得性を持たせることができる。
【００９２】
以上説明した少なくとも一つの実施形態によれば、特殊負荷の稼動時など、重負荷に至らない急激な配電線の負荷上昇を考慮し、気象条件によって特殊負荷が稼働していると予測される場合は警報を鳴動しないよう構成することで、本当の過負荷・重負荷に至るようなときにだけ警報が鳴動するようになり、配電線の保全業務を適確に行うことができるようになる。
【００９３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９４】
また上記各実施形態に示した配電系統監視制御装置６の各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００９５】
１…気象センサ、２…配電系統監視制御システム、３…気象情報提供装置、４…メータデータ収集装置、５…情報取込部、６…配電系統監視制御装置、７…オフィス内情報通信ネットワーク、６１…お客様番号取得部、６３…所属電柱検索部、６５…所属区間・配電線検索部、６８…特殊負荷実装配電線判定部、６９…現在気象状態取得部、７１…重負荷・過負荷判定条件記憶部、７２…警報鳴動部、７３…特殊負荷状態判定条件記憶部、７４…発報制御部、７５…実績検索部、７６…編集・設定部、７７…モニタ、７８…更新部、８０…判定根拠データ記憶部。
【図１】
2016040979.tif 000003
【図２】
2016040979.tif 000004
【図３】
2016040979.tif 000005
【図４】
2016040979.tif 000006
【図５】
2016040979.tif 000007
【図６】
2016040979.tif 000008
【図７】
2016040979.tif 000009
【図８】
2016040979.tif 000010
【図９】
2016040979.tif 000011
【図１０】
2016040979.tif 000012
【図１１】
2016040979.tif 000013
【図１２】
2016040979.tif 000014
【図１３】
2016040979.tif 000015
【図１４】
2016040979.tif 000016
【図１５】
2016040979.tif 000017
【図１６】
2016040979.tif 000018
【図１７】
2016040979.tif 000019
【図１８】
2016040979.tif 000020
【図１９】
2016040979.tif 000021